(57)【要約】【課題】上下に吹出口を備えた空気調和機を上吹出のみで運転した場合、下吹出口を密閉状態にでき、しかもその状態を視認できる空気調和機を提供すること。【解決手段】上下に吹出口６，７、上下吹出口６，７の間に吸込口２、上下吹出口６，７と吸込口２を結ぶ風路１５に熱交換器３及熱交換器３により熱交換された空気を上下吹出口６，７へそれぞれ送出する送風ファン４，５、回転軸１１を中心に揺動し下吹出口７の先端部を開閉する開閉板８、風路１５Ｂに面して形成されたカム動作空間としての凹部１３内で回転軸１２を中心に揺動し、下吹出口７を閉鎖する位置にある開閉板８を背面から押圧固定するカム９を備えた。【選択図】図１
2006300347.tif 000002
【特許請求の範囲】
【請求項１】
上下に吹出口、前記上下吹出口の間に吸込口、前記上下吹出口と前記吸込口を結ぶ風路に熱交換器及び該熱交換器により熱交換された空気を前記上下吹出口へそれぞれ送出する送風ファン、回転軸を中心に揺動し前記下吹出口の先端部を開閉する開閉板、前記風路に面して形成されたカム動作空間としての凹部内で回転軸を中心に揺動し、前記下吹出口を閉鎖する位置にある前記開閉板を押圧固定するカムを備えたことを特徴とする空気調和機。
【請求項２】
前記下吹出口の先端部が全開状態にある時、前記開閉板は前記カムが位置する凹部の開口面を密閉して吹出口の風路の一部を構成していることを特徴とする請求項１記載の空気調和機。
【請求項３】
前記開閉板の長手方向の一端に前記カムが配置され、該カムの回転軸にステッピングモータが結合されていることを特徴とする請求項１または２記載の空気調和機。
【請求項４】
前記開閉板の長手方向の左右端部に前記カムが配置され、それぞれのカムの回転軸にステッピングモータが結合されていることを特徴とする請求項１または２記載の空気調和機。
【請求項５】
前記開閉板の長手方向の左右端部に前記カムが配置されてそれらが連結されており、これらのカムの回転軸の片側にステッピングモータが結合されていることを特徴とする請求項１または２記載の空気調和機。
【請求項６】
前記カムは、前記開閉板が前記下吹出口を閉鎖する位置に着いた到着信号を受けてカム非作用位置から前記開閉板まで移動し、前記開閉板の開放開始信号を受けて前記開閉板から前記カム非作用位置まで揺動することを特徴とする請求項１ないし５のいずれかに記載の空気調和機。
【発明の詳細な説明】
【技術分野】
【０００１】
この発明は上下に吹出口を備えた空気調和機、例えば床置形空気調和機に関する。
【背景技術】
【０００２】
上下に吹出口を備えた従来の空気調和機において、下吹出口の開閉は開閉板を利用して行っている（例えば、特許文献１参照）。
【０００３】
【特許文献１】特開昭６３−１７６９４６号公報（第１図）
【発明の開示】
【発明が解決しようとする課題】
【０００４】
しかしながら上下吹出口を備えた従来の空気調和機において、上吹出のみで運転した場合、下吹出口を完全に閉鎖していない場合には、下吹出口から空気を吸込んでしまうため、風路内に着露する問題や運転効率が低下する問題があった。また、下吹出口の奥にシャッター機構を設けたものもあるが、その場合には、シャッターの作動状況が視認ができないという問題や、空気調和機の下部が開口しているため意匠上の問題もあった。
【０００５】
この発明は上記課題を解決するためになされたもので、上下に吹出口を備えた空気調和機を上吹出のみで運転した場合、下吹出口を密閉状態にでき、しかもその状態を視認できる空気調和機を提供することを目的とする。
【課題を解決するための手段】
【０００６】
この発明に係る空気調和機は、上下に吹出口、前記上下吹出口の間に吸込口、前記上下吹出口と前記吸込口を結ぶ風路に熱交換器及び該熱交換器により熱交換された空気を前記上下吹出口へそれぞれ送出する送風ファン、回転軸を中心に揺動し前記下吹出口の先端部を開閉する開閉板、前記風路に面して形成されたカム動作空間としての凹部内で回転軸を中心に揺動し、前記下吹出口を閉鎖する位置にある前記開閉板を押圧固定するカムを備えたものである。
【発明の効果】
【０００７】
この発明の上下吹出口を備えた空気調和機によれば、上吹出のみの運転をする際に、下吹出口を塞ぐ開閉板と、開閉板を裏側から押さえるためのカムと、カムを駆動するステッピングモータにより下吹出口が密閉される。これにより、風路内への着露が防止でき、また運転効率の低下防止も図れる。
また、開閉板が下吹出口の先端部を開閉するため、開閉板の作動状況が容易に確認でき、さらに、下吹出口の不使用時にはそれが見えなくなるため意匠性にも優れる。
【発明を実施するための最良の形態】
【０００８】
実施形態１
図１はこの発明の実施形態１に係る床置形空気調和機の全体を示す断面図、図２はその正面図である。床置形空気調和機（室内機）１の前面中央には吸込口２が形成され、吸込口２の内側には風路１５が形成されており、この風路１５内に熱交換器３が設けられている。風路１５にはその奥上側に上側送風ファン４、奥下側に下側送風ファン５が設けられている。上側送風ファン４の先には風路１５Ａを介して上吹出口６が形成され、下側送風ファン５の先には風路１５Ｂを介して下吹出口７が形成されている。下吹出口７の先端部には回転軸１１を中心に揺動し下吹出口７の先端部を開閉する開閉板８が設けられている。下吹出口７の先端部にはまた、風路１５Ｂに面して形成されたカム動作空間としての凹部１３内で回転軸１２を中心に揺動し、下吹出口７を閉鎖する位置にある開閉板８をその裏側面１０から押圧固定するカム９が設けられている。さらに、熱交換器３の下部にはドレンパン１４が設けられており、このドレンパン１４が下吹出口７の風路１５Ｂの上側壁を形成している。
【０００９】
開閉板８はその回転軸１１に連結されたステッピングモータ（図示せず）により動かされて揺動する。一方、カム９は回転軸１２に連結されたステッピングモータ１７により動かされて揺動する。特にここでは、図２に示すように、開閉板８の長手方向の一端にのみカム９を配置し、ステッピングモータ１７を１個だけ備えた簡単なカム機構としている。なお、この図２及び後述する図６，７においては、装置の内部に配置されているカム９、回転軸１２、ステッピングモータ１７を破線で表示した。
【００１０】
本実施形態において、カム９は、開閉板８が下吹出口７を閉鎖する位置に着いた到着信号を受けてカム非作用位置から開閉板８まで移動し、開閉板８の開放開始信号を受けて開閉板８からカム非作用位置まで移動するように設定されている。ここでカム非作用位置とは、カムが開閉板８に作用を及ぼさない基本停止位置であり、具体的には図４、図５に示すカムの位置である。このようにすることで、開閉板８とカム９とを互いに干渉させずに動作させることができる。
なお、開閉板８が下吹出口７を閉鎖する位置に着いた到着信号は、下吹出口７の先端部に開閉板８の到着を検知するセンサを設けることで得ることができる。また、リモコンなどから下吹出口７を利用する運転信号を受信したときを、開閉板８の開放開始信号を受けたときとして対応させることができる。
【００１１】
上記の床置形空気調和機１において、上吹出口６を利用した上吹出しのみの運転時には、図３の下吹出口付近の部分断面図に示すように、開閉板８が下吹出口７の先端部を封鎖する位置に来て下吹出口７が閉じられる。この時、開閉板８はその裏側面１０がカム９により押圧されてその位置に固定されるため、下吹出口７は密閉状態となる。
【００１２】
以上のように、開閉板８がカム９で背面側から押さえられているので、開閉板８が安定して下吹出口７を閉鎖して密閉することができる。従って、下吹出口７からの空気の吸込みがなくなり、風路１５Ｂ内の着露を防止することができる。また、運転の無駄がなくなり性能の向上が図れる。さらに、開閉板８が下吹出口７の先端部に配置され、その開閉板８が閉じて下吹出口全面を塞ぐため意匠性も良くなる。
【００１３】
次に、上記の床置形空気調和機１における上下吹出運転の場合を説明する。図４は開閉板８が開く途中の下吹出口を示す断面図、図５は開閉板８が全部開いた状態の下吹出口を示す断面図である。床置形空気調和機１における上下吹出運転の場合は、通常、図５のように開閉板８を位置させ、上吹出口６とともに下吹出口７も全開状態として運転が行われる。
なお、開閉板８が開く際には、図４に示すように、先にカム９が動いてカム非作用位置に移動し、その後開閉板８が動いて、図５に示す凹部１３の開口面を密閉する位置に移動する。
【００１４】
下吹出７から送風が行われる場合には、図５に示したように、開閉板８の裏側面１０が下吹出口７の風路１５Ｂの一部を形成し、カム９が配置されているカム動作空間としての凹部１３の開口面を密閉するようにしているので、凹部１３を構成する周壁への着露が防止される。
【００１５】
実施形態２
ここでは、図６に示すように、開閉板８の長手方向の左右両端部にカム９を配置し、各カム９のそれぞれの回転軸１２にステッピングモータ１７を結合したものである。その他の点は実施形態１の構成と同様である。この構成によれば、下吹出口７を閉鎖する位置にある開閉板８をその長手方向の左右端部から押圧固定できるので、下吹出口７の密閉性をより確実にすることができる。
【００１６】
実施形態３
ここでは、図７に示すように、開閉板８の長手方向の左右両端部にカム９を配置してそれらのカム９を連結し、回転軸１２の片側にステッピングモータ１７を結合したものである。この構成によれば、１個のステッピングモータ１７により、下吹出口７を閉鎖する位置にある開閉板８をその長手方向の左右端部から押圧固定して、下吹出口７の密閉性をより確実にすることができる。
【００１７】
以上の各実施形態では床置形空気調和機を例に挙げて説明したが、この発明はかならずしも床置形のものに限られるものではなく、装置の上下に吹出口を有する全ての空気調和機に適用できる。
【００１８】
また、開閉板８やカム９の駆動源としてステッピングモータを例示したが、ステッピングモータに代えて他のモータを使用してもよい。
【図面の簡単な説明】
【００１９】
【図１】この発明の実施形態１に係る床置形空気調和機の全体を示す断面図。
【図２】図１の空気調和機の正面図。
【図３】図１の空気調和機の下吹出口の閉鎖状態を示す断面図。
【図４】図１の空気調和機の下吹出口の中間開放状態を示す断面図。
【図５】図１の空気調和機の下吹出口の全開状態を示す断面図。
【図６】この発明の実施形態２に係る床置形空気調和機の正面図。
【図７】この発明の実施形態３に係る床置形空気調和機の正面図。
【符号の説明】
【００２０】
１  床置形空気調和機（室内機）、２  吸込口、３  熱交換器、４  上側送風ファン、５  下側送風ファン、６  上吹出口、７  下吹出口、８  開閉板、９  カム、１０  開閉板裏側面、１１  開閉板回転軸、１２  カム回転軸、１３  凹部（カム動作空間）、１４  ドレンパン、１５，１５Ａ，１５Ｂ  風路、１７  ステッピングモータ。
【図１】
2006300347.tif 000003
【図２】
2006300347.tif 000004
【図３】
2006300347.tif 000005
【図４】
2006300347.tif 000006
【図５】
2006300347.tif 000007
【図６】
2006300347.tif 000008
【図７】
2006300347.tif 000009